(57)【要約】【課題】プリント出力におけるペーパージャムを未然に防ぐようにすること。【解決手段】まず、プリント指示されると前記ペーパージャムの有無を判定する（Ｓ５０２）。次に、この判定によりペーパージャムの発生を認識するとオブジェクトに関する情報を取得する（Ｓ５０３）。次に、ペーパージャムが発生した際に、その情報を各オブジェクトに付加される情報に記述する（Ｓ５０４）。次に、各オブジェクトを再度使用する際に、記述により記述された情報からペーパージャムを再び起こす可能性があるか否かを判定する。【選択図】図５
2008148232.tif 000002
【特許請求の範囲】
【請求項１】
ドキュメントを構成するオブジェクトと、該オブジェクトに関連する関連情報とを保存する保存手段を備えた画像処理装置であって、
前記ドキュメントをプリント出力する際に、ペーパージャムが発生したかを判定する第１の判定手段と、
該第１の判定手段においてペーパージャムが発生したと判定された場合、該ペーパージャムに関する情報を、該ペーパージャムが発生したドキュメントを構成するオブジェクトの前記関連情報として前記保存手段に保存するように制御する保存制御手段と、
前記オブジェクトを再利用する際、該オブジェクトに関連する前記関連情報に基づいて、ペーパージャムを起こす可能性があるかを判定する第２の判定手段と
を備えたことを特徴とする画像処理装置。
【請求項２】
前記ペーパージャムに関する情報は、ペーパージャム時のジャムの場所、印字位置、紙の種類、前記ドキュメントを構成していたその他のオブジェクトの情報、のうちの少なくとも１つであることを特徴とする請求項１に記載の画像処理装置。
【請求項３】
前記第２の判定手段でペーパージャムを起こす可能性があると判定された場合、ユーザに対して警告及び対策を促す画面を表示するように制御する表示制御手段と、
前記ユーザに対策を選択させる選択手段と
を備えたことを特徴とする請求項１に記載の画像処理装置。
【請求項４】
前記第２の判定手段でペーパージャムを再び起こす可能性があると判定された場合には、予め設定された対策によって自動的に処理する自動処理手段を備えたことを特徴とする請求項１に記載の画像処理装置。
【請求項５】
前記自動処理手段のための対策を、ユーザに予め設定させる設定手段を備えたことを特徴とする請求項４に記載の画像処理装置。
【請求項６】
前記表示制御手段は、ホストコンピュータの画面上、あるいは、コントロールパネル画面上の少なくともいずれかに表示することを特徴とする請求項３に記載の画像処理装置。
【請求項７】
ドキュメントを構成するオブジェクトと、該オブジェクトに関連する関連情報とを保存する保存手段を備えた画像処理装置の画像処理方法であって、
前記画像処理装置が、
前記ドキュメントをプリント出力する際に、ペーパージャムが発生したかを判定し、
ペーパージャムが発生したと判定された場合、該ペーパージャムに関する情報を、該ペーパージャムが発生したドキュメントを構成するオブジェクトの前記関連情報として前記保存手段に保存するように制御し、
前記オブジェクトを再利用する際、該オブジェクトに関連する前記関連情報に基づいて、ペーパージャムを起こす可能性があるかを判定する
ことを特徴とする、前記画像処理装置の画像処理方法。
【請求項８】
ドキュメントを構成するオブジェクトと、該オブジェクトに関連する関連情報とを保存する保存手段を備えた装置のコンピュータに、
前記ドキュメントをプリント出力する際に、ペーパージャムが発生したかを判定し、ペーパージャムが発生したと判定された場合、該ペーパージャムに関する情報を、該ペーパージャムが発生したドキュメントを構成するオブジェクトの前記関連情報として前記保存手段に保存するように制御し、前記オブジェクトを再利用する際、前記保存手段に保存されている該オブジェクトに関連する前記関連情報に基づいて、ペーパージャムを起こす可能性があるかを判定する手順を
実行させるためのプログラム。
【請求項９】
請求項８に記載のプログラムを格納した、コンピュータ読み取り可能な記憶媒体。
【発明の詳細な説明】
【技術分野】
【０００１】
本発明は、画像処理装置及び画像処理方法に関し、より詳細には、カラー複合機のプリント出力におけるペーパージャムを未然に防ぐようにした画像処理装置及び画像処理方法に関する。
【背景技術】
【０００２】
近年、オフィスやプリントショップでカラー複合機（以下、カラーＭＦＰという）の使用率が高まっている。カラーＭＦＰは、原稿を複写するコピー機能、ホストコンピュータで作成したドキュメントのプリント出力が可能なＰＤＬ機能、原稿をネットワークを介してカラーＭＦＰ外部に送信するＳＥＮＤ機能の複合機能を持ち合わせている。そして、全ての機能においてカラー出力が可能である。
【０００３】
カラーＭＦＰのコピー機能やＰＤＬ機能におけるプリント出力時の問題点として、ペーパージャムが挙げられる。ペーパージャムを起こす原因は複数あるが、代表的なものとして、定着器における紙の巻き込みがある。定着器の巻き込みとは、紙搬送方向の先端部分に濃度の高い（トナーの載り量が多い）矩形が描画されている場合に、定着器でトナーを定着し、定着器から紙を引き離す際に紙が離れず、紙を巻き込むことにより発生するペーパージャムである。
【０００４】
こうようなペーパージャムの問題に対して、特許文献１に記載の画像形成装置は、メモリ上に展開された用紙サイズに対応したビットマップデータの四辺に隣接したエリアの濃度を測定する。測定された四辺の濃度を比較し、濃度が一番大きなものが紙先端にならないようにビットマップデータを回転してプリント出力するように構成したものである。
【０００５】
つまり、周辺部画像濃度処理部が、メモリ３３に格納されたデジタル画像信号に基づいて形成される１ページ分の画像における４辺の周辺部分の平均濃度をそれぞれ検出する。検出された４辺の周辺部分の平均濃度を所定基準範囲と比較し、所定基準範囲に収まる平均濃度を選択する。周辺部画像濃度処理部は、選択された平均濃度に対応する周辺部分を先頭にして、メモリからデジタル画像信号を読み出して、先頭から１ページ分の画像を形成させるようにしたものである。
【０００６】
また、上述したペーパージャムの防止方法以外にも、例えば、特許文献２に記載のものがある。この特許文献２のものは、原稿メモリに記憶された画像情報から１ページ毎の画像情報を読み出し、読み出された１ページ毎の画像情報の用紙搬送方向における先端部側の所定領域の画像情報と後端部側の所定領域の画像情報との多少を判定する。先端部側の所定領域の画像情報が後端部側の所定領域の画像情報よりも多い場合に印刷部への画像情報出力を１８０度反転させるようにする。用紙の先端部の画像情報を少ない状態にして、印刷部での用紙巻き上がりジャムの発生の頻度を少なくするように構成したものである。
【０００７】
【特許文献１】特開２００１−０２６１６２号公報
【特許文献２】特開２００１−３４１４００号公報
【発明の開示】
【発明が解決しようとする課題】
【０００８】
しかしながら、上述した特許文献１に開示されているジャム防止方法では、（１）常に濃度を測定する必要がある、（２）ビットマップデータを回転する必要がないケースでも回転する可能性がある、という問題が残っている。
【０００９】
また、カラーＭＦＰは、ドキュメントの構成要素（以下、オブジェクトという）の再利用を考えて、カラーＭＦＰ内部の記憶装置にドキュメント単位ではなく、オブジェクト毎に保存する手段が提案されている。
【００１０】
上述した構成の場合、オブジェクトを再利用するユーザは、そのオブジェクトの作成者だけとは限らず、他のユーザが使用する可能性もある。そのオブジェクトの載り量が多く、印字位置を紙先端にされた場合、ペーパージャムを引き起こす可能性がある。
【００１１】
つまり、（３）他のユーザが、そのオブジェクトがペーパージャムを引き起こす場合があることを事前に知っておく必要がある。
【００１２】
本発明は、このような問題に鑑みてなされたもので、その目的とするところは、プリント出力におけるペーパージャムを未然に防ぐようにした画像処理装置及び画像処理方法を提供することにある。
【課題を解決するための手段】
【００１３】
本発明は、このような目的を達成するためになされたもので、本発明の画像処理装置は、ドキュメントを構成するオブジェクトと、該オブジェクトに関連する関連情報とを保存する保存手段を備えた画像処理装置であって、前記ドキュメントをプリント出力する際に、ペーパージャムが発生したかを判定する第１の判定手段と、該第１の判定手段においてペーパージャムが発生したと判定された場合、該ペーパージャムに関する情報を、当該ペーパージャムが発生したドキュメントを構成するオブジェクトの前記関連情報として前記保存手段に保存するように制御する保存制御手段と、前記オブジェクトを再利用する際、当該オブジェクトに関連する前記関連情報に基づいて、ペーパージャムを起こす可能性があるかを判定する第２の判定手段とを備えたことを特徴とする。
【００１４】
また、本発明の画像処理方法は、ドキュメントを構成するオブジェクトと、該オブジェクトに関連する関連情報とを保存する保存手段を備えた画像処理装置の画像処理方法であって、前記画像処理装置が、前記ドキュメントをプリント出力する際に、ペーパージャムが発生したかを判定し、ペーパージャムが発生したと判定された場合、該ペーパージャムに関する情報を、該ペーパージャムが発生したドキュメントを構成するオブジェクトの前記関連情報として前記保存手段に保存するように制御し、前記オブジェクトを再利用する際、該オブジェクトに関連する前記関連情報に基づいて、ペーパージャムを起こす可能性があるかを判定することを特徴とする。
【００１５】
このように、本発明の画像処理装置は、オブジェクト毎に記憶装置に保存することが可能で、そのオブジェクトを再利用することが可能なカラーＭＦＰである。また、ペーパージャムが発生した場合、オブジェクトに付属するメタデータに、ペーパージャムの発生場所、使用紙種、印字位置、ペーパージャム時のその他のオブジェクトの情報、のうちの少なくとも１つを記載する。
【００１６】
また、本発明の画像処理装置は、オブジェクトを再利用し、ドキュメントを作成してプリント出力する際に、プリント指示の際にオブジェクトに付属するメタデータを確認し、ペーパージャムに関する記述と現在のプリント設定を比較する。再度ペーパージャムを起こす可能性がある場合には、画面上に警告するユーザーインターフェースを表示させ、ユーザに解決手段を選択させることによって、ペーパージャムの起こる可能性を減らすことができる。
【００１７】
さらに、本発明の画像処理装置は、再度ペーパージャムを起こす可能性があるオブジェクトの場合には、カラーＭＦＰの予め設定された設定に応じて、自動的に処理し、ペーパージャムの起こる可能性を減らすこともできる。
【発明の効果】
【００１８】
本発明は、オブジェクト毎にかつ、各オブジェクトに対応した関連情報（メタデータ）を記憶装置に保存することが可能で、そのオブジェクトを再利用することが可能な画像処理装置である。ペーパージャムに関する情報をメタデータに記憶することにより、次回以降のペーパージャムを未然に防ぐことが可能となる。
【００１９】
また、記憶装置に保存されているオブジェクトを再利用する際は、オブジェクトに付属しているメタデータからペーパージャムの起こる可能性を推測し、ユーザに対して細かい設定変更を促すことができる。
【００２０】
また、記憶装置に保存されているオブジェクトを再利用する際に、オブジェクトに付属しているメタデータからペーパージャムの起こる可能性を推測し、予め設定されている対策を自動的に施し、ペーパージャムを未然に防ぐようにもできる。
【発明を実施するための最良の形態】
【００２１】
以下、図面を参照して本発明の実施例について説明する。  
（第１実施例）
図１は、本発明に係る画像処理装置の概念構成図で、オブジェクト毎に記憶装置に保存することが可能で、そのオブジェクトを再利用することが可能なカラーＭＦＰの概略図を示している。
【００２２】
ユーザは、カラーＭＦＰ１０１に搭載されているスキャナを使用して、原稿（ドキュメント）１０５を複写するコピー機能を使用できる。その際にユーザが希望すれば、本発明に係るカラーＭＦＰ１０１は、原稿１０５を解析し、当該原稿１０５を構成するオブジェクト１０９及び１１０を個別に抽出して、記憶装置１０３に保存することができるものとする。なお、原稿１０５から、文字領域や図領域や写真領域などのオブジェクトを抽出する処理は、公知の技術（領域分割技術等）を用いて実現することができる。
【００２３】
また、ユーザの操作に応じて、ホストコンピュータ１０２は、アプリケーションソフト等で作成された画像データ１０４を、プリンタドライバ等を介してプリント出力することができる。その際にユーザが希望すれば、本発明に係るカラーＭＦＰ１０１は、記憶装置１０３に当該プリント出力する画像データ（ドキュメント）１０４のオブジェクト１０７及び１０８を個別に保存することができるものとする。
【００２４】
保存されたこれらのオブジェクトは、カラーＭＦＰ１０１のコントロールパネル画面上やホストコンピュータ１０２の画面上で再利用することが可能である。例えば、カラーＭＦＰ１０１のコントロールパネル画面上でオブジェクト１０７及び１１０を再利用し、ドキュメント１０６を作成してプリント出力することができる。
【００２５】
＜オブジェクト毎に保存＞
図２は、図１に示した記憶装置の構成図である。この記憶装置１０３内部では、ドキュメントを構成しているオブジェクト毎に保存することが可能である。各々のオブジェクトには、そのオブジェクトの特徴を示すメタデータを付属させることが可能である。オブジェクト１０９にはメタデータ２０１、オブジェクト１０７にはメタデータ２０２、オブジェクト１１０にはメタデータ２０３、オブジェクト１０８にはメタデータ２０４が付属している。
【００２６】
＜メタデータ＞
図３は、図２に示したメタデータの構成図である。このメタデータ２０４の構成は、階層的である。例えば、基礎情報３０１には、オブジェクトが作成された日時や作成者等が記載されている。また、付加情報３０２には、そのオブジェクトがどのような形をしているのか等が記載されている。メタデータを階層的な構成にするのは、階層に応じてセキュリティのレベルを変えることができ、誰でも見える情報や特定のユーザにしか見えない情報を区別するのに便利であるためである。本発明に係るペーパージャム情報も付加情報の一つに記載される。なお、このメタデータ２０４の記載に関しては、ＸＭＬ等の記述言語が使用されるものとするが、記述方式はこれに限定されるものではない。
【００２７】
＜ペーパージャムが発生した場合＞
図５は、本発明におけるメタデータ作成に関するフローチャートを示す図である。  
ホストコンピュータ１０２で作成したドキュメント１０４をカラーＭＦＰ１０１でプリント出力した際にペーパージャムが発生したとする。まず、ステップ５０１において、ユーザがプリント指示をする。この際に、ユーザがカラーＭＦＰ１０１の記憶装置１０３にドキュメント１０４を構成しているオブジェクト１０７及び１０８を保存する設定をしているものとする。
【００２８】
次に、ステップ５０２では、ペーパージャムの有無を判定する。ペーパージャムが発生したと判定した場合、ステップ５０３において、オブジェクト１０７及び１０８のメタデータ２０２及び２０４の情報を取得する。
【００２９】
ステップ５０４において、ペーパージャムに関する情報がメタデータに追記される。その際のメタデータは図６のようになり、ペーパージャムに関する情報は付加情報６０４として保存制御される。このペーパージャムに関する情報には、ペーパージャムが発生した場所、設定されていた紙の種類、印字する予定であった印字位置、ドキュメント１０４を構成していたその他のオブジェクトが何であったかなどの情報が少なくとも記載される。なお、ここでは、ペーパージャムが発生しているのでプリント出力することはできずに、ステップ５０６の終了となる。
【００３０】
＜ペーパージャムが発生しない場合＞
一方、ステップ５０２においてペーパージャムが発生しなかったと判定した場合、ステップ５０５において、正常にプリント出力され、ステップ５０６において終了となる。また、カラーＭＦＰ１０１の記憶装置１０３には、ペーパージャムに関する情報６０４が記載されることなく、オブジェクト１０７及び１０８が保存される。
【００３１】
＜ホストコンピュータで再利用する＞
図８は、本発明のホストコンピュータを使用してオブジェクトを再利用する際のフローチャートを示す図である。  
カラーＭＦＰ１０１の記憶装置１０３に保存されているオブジェクトをホストコンピュータ１０２においてユーザが再利用する際には、ホストコンピュータ画面上に図４が表示され、使用可能なオブジェクトの一覧を閲覧することが可能である。各オブジェクトには、作成者や作成日の情報が記載されている。
【００３２】
図４に示すように、オブジェクト１０９の説明は４０１に示され、オブジェクト１１０の説明は４０２に示され、オブジェクト１０７の説明は４０３に示され、オブジェクト１０８の説明は４０４にそれぞれ示されている。ユーザはその一覧から、再利用したいオブジェクトを選択する。
【００３３】
今回は、オブジェクト１０７を選択したとする。選択されたオブジェクト１０７は、付属しているメタデータ２０２と共にホストコンピュータ１０２に送信される。オブジェクト１０７及びメタデータ２０２を受信したホストコンピュータ上では、オブジェクト１０７を、アプリケーションソフト等を使用し、再利用することが可能になる。
【００３４】
なお、オブジェクト１０７は、以前にある条件でペーパージャムを起こしたことがあるのでメタデータの付加情報６０４を保持している。
【００３５】
ホストコンピュータ１０２上で新たに作成されたドキュメント１０６の印刷を行う際は、ステップ８０１において、プリンタドライバの設定を行う。
【００３６】
設定項目は、紙に関するもの（紙種やサイズなど）、印字の枚数、カラー設定（カラーなのかモノクロなのか）などである。ステップ８０２において、ユーザによりプリンタドライバ上のプリントボタンが押下され、プリント動作がスタートする。まずは、ドライバからディスプレイリストが作成されて送信される。
【００３７】
次に、ステップ８０３において各オブジェクトに付属しているメタデータを確認する。今回は、オブジェクト１０７のメタデータ２０２を確認している際に、ペーパージャムに関する付加情報６０４の記載があることを認識する。
【００３８】
ステップ８０４において、現在の設定がペーパージャムを再度起こす可能性のある設定なのかをステップ８０３で取得したペーパージャムに関する付加情報６０４と比較して確認する。プリンタドライバで設定した項目のほかにも、今回の設定によるオブジェクト１０７の印字位置等を確認する。
【００３９】
その結果、今回もペーパージャムを起こす可能性があるときには、ステップ８０５において、ホストコンピュータ１０２の画面上に図９のような警告を促す画面を表示制御する。図９に示す３つの解決策の中から所望の解決策を、ステップ８０６においてユーザに選択させる。
【００４０】
次に、ステップ８０６において、『再レイアウト』が選択されると、ステップ８０７の処理１において、作成されたディスプレイリストが破棄され、アプリケーションでのレイアウトを再度行うことになる。次に、ステップ８１１において終了となる。
【００４１】
次に、ステップ８０６において、『自動』が選択されると、ステップ８０８の処理２において、ユーザが予め設定しておいた『自動』時の対策に応じてジョブに自動処理が施される。『自動』時の対策を予めユーザに設定させる場合、ホストコンピュータ１０２の画面上に図１０のような設定画面が現れる。ユーザは、図１０に示すように、４つの対応策１００１乃至１００４のいずれかを予め設定することが可能である。
【００４２】
設定１００１は、ペーパージャムを起こす可能性のあるオブジェクト１０７の印字位置を下方にずらしてプリント出力させる設定である。また、設定１００２は、ペーパージャムを起こす可能性のあるオブジェクト１０７を縮小してプリント出力させる設定である。設定１００１と設定１００２においては、ペーパージャムが起こる可能性が高い印字位置（搬送方向先端近傍）を避けるように対応する。
【００４３】
設定１００３では、ペーパージャムを起こす可能性のあるオブジェクト１０７を印刷する際の載り量（トナー量、インク量）を下げてプリント出力させる設定である。設定１００４では、ペーパージャムを起こす可能性のあるオブジェクト１０７が搬送方向先端にならないように、原稿画像の上下を反転する設定である。ステップ８０８では、これらのうちから予め選択された設定にしたがった処理を行い、ステップ８１０においてプリント出力し、ステップ８１１において終了する。
【００４４】
ステップ８０６において、『手動（ドライバ再設定）』が選択されると、ステップ８０９の処理３において、作成されたディスプレイリストが破棄され、図１１に示すようなドライバの設定画面が、再度ホストコンピュータ１０２の画面上に表示される。図１１に示す画面で、ステップ８０４において、ペーパージャムを起こす可能性のあるドライバ設定を明示し、ユーザは、その設定を変更し、再度プリント指示を出す。例えば、ここでは、『用紙タイプ』により紙種を変更し、ペーパージャムが起きないドライバ設定をする。その後、ステップ８１０においてプリント出力し、ステップ８１１において終了する。
【００４５】
一方、ステップ８０４において、ペーパージャムを起こす可能性がないと判断された場合には、ステップ８１０においてそのドキュメントをプリント出力し、ステップ８１１において終了する。
【００４６】
このように、本発明によれば、ドキュメントを構成するオブジェクトと、各オブジェクトに関する関連情報とを保存する保存手段を備えた画像形成装置において、プリント出力におけるペーパージャムを未然に防止することができるようになる。
【００４７】
（第２実施例）
ホストコンピュータ１０２の画面上だけでなく、ＭＦＰ１０１のコントロールパネル画面上でも制御することが可能である。
【００４８】
＜ＭＦＰ本体で再利用＞
まず、前回のコピー機能で複写したドキュメントをページで表示する。その画面の一例を図１４に示す。ドキュメントは原稿１０５を使用し、オブジェクトは、１０９と１１０を使用している。ユーザは、変更したいオブジェクトの周辺を図１４に示した画面上においてタッチペン等で範囲１４０１を指定する。指定された範囲１４０１内のオブジェクトを判別し、（今回は、オブジェクト１０９）変更箇所とする。
【００４９】
次に、指定されたオブジェクト１０９を変更するためのオブジェクトを選択する画面が図７のように表示される。ユーザが選択できるＭＦＰ１０１内の記憶装置１０３内のオブジェクトは一覧リスト７０１の中から選択できる。オブジェクトを選択すると、オブジェクトのプレビューと情報を見ることができる。今回は、オブジェクト１０７を選択することを想定する。変更後のＭＦＰ１０１のコントロールパネル画面上に表示されるプレビューの一例を図１５に示す。ここでは、オブジェクト１０９がオブジェクト１０７に置換されることになる。
【００５０】
ユーザは、変更後の最終画像を図１５において確認することができる。問題がなければ、ボタン１５０１を押下し、新たなドキュメント１０６が生成されてプリント出力される。一方、さらに修正を希望する場合には、ボタン１５０２を押下する。すると、図１４に示す画面に戻り、オブジェクトの変更を再度やり直す。
【００５１】
図１３は、本発明に係るカラーＭＦＰを使用してオブジェクトを再利用する際のフローチャートを示す図である。  
まず、ステップ１３０１において、プリント出力時の設定を行う。設定項目は、紙に関するもの（紙種やサイズなど）、印字の枚数、カラー設定（カラーなのかモノクロなのか）等である。ステップ１３０２において、ＭＦＰ１０１のスタートボタンを押下し、プリント動作がスタートする。次に、ステップ１３０３において各オブジェクトに付属しているメタデータを確認する。今回は、オブジェクト１０７のメタデータ２０２を確認している際に、ペーパージャムに関する記載６０４があることを認識する。
【００５２】
次に、ステップ１３０４において、ペーパージャムを再度起こす可能性のある設定なのかをステップ１３０３で取得したペーパージャムに関する情報６０４と比較して確認する。その結果、今回もペーパージャムを起こす可能性があるときには、ステップ１３０５において、予め選択されている設定を判断する。このステップ１３０５では、ＭＦＰ１０１のコントローラパネル画面には何も表示しないものとする。
【００５３】
ホストコンピュータ１０２のような手動での処理の切り替えではなく、自動的に処理を切り替えるのは、ＭＦＰ１０１のコントロールパネル画面上では、位置をずらすなどの細かい作業が困難であるためである。また、長時間、ＭＦＰ１０１のコントロールパネルが独占されると、他のユーザにも影響を与えるため、自動的に処理するようにしている。その際に、どのように自動的に処理するのかを予め決定するのが、図１２に示す画面である。なお、ユーザが予め設定を行う際は、図１２に示すような画面をＭＦＰ１０１のコントローラパネル画面上に表示し、当該画面上で指定された設定を利用するようにする。
【００５４】
ステップ１３０５において、対応方法を判断する。本実施例では、設定１２０１の画質優先と、設定１２０２の速度優先とがあるものとする。設定１２０２（速度優先）が設定されていたと判断すると、ステップ１３０７において、印字速度の低下をせず、のり量を減らすなどして画質を犠牲にしても、メモリ上での画像データの回転をしないようにする。これは、メモリ上で画像データを回転すると、回転しない場合と比較して計算量が増えるため、印字速度が落ちるためである。そして、ステップ１３０８においてプリント出力する。
【００５５】
一方、設定１２０１（画質優先）を選択すると、ステップ１３０６において、印字速度を低下させてでも、所望の画質を優先する。具体的には、画像データをメモリ上で反転させて、ステップ１３０８においてプリント出力する。
【００５６】
一方、ステップ１３０４において、ペーパージャムを再度起こす可能性がないと判断された場合には、ステップ１３０８においてプリント出力する。
【００５７】
（その他の実施例）
第１の実施例または第２の実施例で説明した画像処理装置は、下記のような装置構成で実現できる（なお、下記装置構成に限るものではない）。
【００５８】
例えば、画像処理装置（ＭＦＰ）が上述したフローチャートの各手順に対応する処理を行うために、各ステップの処理（手順）に対応する電子回路（ハードウェア）を用いて実現するようにしてもよい。
【００５９】
また、画像処理装置（ＭＦＰ）が、中央演算装置（ＣＰＵ）、記憶媒体（ＲＡＭ、ＲＯＭやハードディスクなど）を備える場合、当該記憶媒体に格納されたコンピュータプログラムを前記ＣＰＵが実行する。これによって、上述したフローチャートの各手順をＣＰＵ（コンピュータ）に実行させるようにしてもよい。
【００６０】
また、上述した実施例の機能の一部をハードウェア（電子回路）で実現し、その他をソフトウェア（コンピュータプログラムをＣＰＵで実行）で実現するようにしても構わない。
【００６１】
このように、本実施例の全部または一部の手順を、ＣＰＵ（コンピュータ）に実行させるためのプログラムは、コンピュータ読み取り可能な記憶媒体に格納されるものとする。この場合、本実施例の手順をコンピュータに実現させるためのコンピュータプログラムおよび記憶媒体は、本発明に含まれることになる。
【図面の簡単な説明】
【００６２】
【図１】本発明に係る画像処理装置の概念構成図である。
【図２】図１に示した記憶装置の構成図である。
【図３】図２に示したメタデータの構成図である。
【図４】ホストコンピュータ画面に表示される一例を示す図である。
【図５】本発明におけるメタデータ作成に関するフローチャートを示す図である。
【図６】本発明におけるメタデータの構成を説明するための図である。
【図７】コントロールパネル上に表示される画面の一例を示す図（その１）である。
【図８】本発明のホストコンピュータを使用してオブジェクトを再利用する際のフローチャートを示す図である。
【図９】ホストコンピュータ画面に表示される一例を示す図（その１）である。
【図１０】ホストコンピュータ画面に表示される一例を示す図（その２）である。
【図１１】ホストコンピュータ画面に表示される一例を示す図（その３）である。
【図１２】コントロールパネル上に表示される画面の一例を示す図（その２）である。
【図１３】本発明に係るカラーＭＦＰを使用してオブジェクトを再利用する際のフローチャートを示す図である。
【図１４】コントロールパネル上に表示される画面の一例を示す図（その３）である。
【図１５】コントロールパネル上に表示される画面の一例を示す図（その４）である。
【符号の説明】
【００６３】
１０１  カラーＭＦＰ
１０２  ホストコンピュータ
１０３  記憶装置
１０４  画像データ
１０５  原稿
１０６  ドキュメント
１０７，１０８，１０９，１１０  オブジェクト
２０１，２０２，２０３，２０４  メタデータ
【図１】
2008148232.tif 000003
【図２】
2008148232.tif 000004
【図３】
2008148232.tif 000005
【図４】
2008148232.tif 000006
【図５】
2008148232.tif 000007
【図６】
2008148232.tif 000008
【図７】
2008148232.tif 000009
【図８】
2008148232.tif 000010
【図９】
2008148232.tif 000011
【図１０】
2008148232.tif 000012
【図１１】
2008148232.tif 000013
【図１２】
2008148232.tif 000014
【図１３】
2008148232.tif 000015
【図１４】
2008148232.tif 000016
【図１５】
2008148232.tif 000017